(57)【特許請求の範囲】
【請求項１】
表示装置の表示面に直接貼着される光学フィルタであって、
柔軟性を有する透明基材の一方の主面に電磁波遮蔽層が形成されるとともに、他方の主面に前記表示面に貼着するための透明接着層が形成された電磁波遮蔽積層体層と、
前記電磁波遮蔽層の前記表示面側と反対側の表面に接合され柔軟性を有する外光遮蔽層と、
を備えてなることを特徴とする光学フィルタ。
【請求項２】
前記外光遮蔽層の表面に、反射防止層、近赤外線遮蔽層のいずれか一方または双方を積層してなることを特徴とする請求項１記載の光学フィルタ。
【請求項３】
前記近赤外線遮蔽層は、柔軟性を有する透明基材の一方の主面に、接着層中に近赤外線吸収色素を分散させてなる近赤外線遮蔽膜を形成してなり、
前記外光遮蔽層の前記表示面側と反対側の表面に前記近赤外線遮蔽膜を接着し、さらに、該近赤外線遮蔽膜の前記表示面側と反対側の表面に前記反射防止層を接着してなることを特徴とする請求項２記載の光学フィルタ。
【請求項４】
前記電磁波遮蔽層は、網状の金属層であることを特徴とする請求項１ないし３のいずれか１項記載の光学フィルタ。
【請求項５】
可視光線透過率は２０％以上であることを特徴とする請求項１ないし４のいずれか１項記載の光学フィルタ。
【請求項６】
前記透明接着層には、剥離材が着脱可能に貼着されていることを特徴とする請求項１ないし５のいずれか１項記載の光学フィルタ。
【請求項７】
前記表示装置は、プラズマディスプレイパネルであることを特徴とする請求項１ないし６のいずれか１項記載の光学フィルタ。
【発明の詳細な説明】
【技術分野】
【０００１】
本発明は、光学フィルタに関し、さらに詳しくは、プラズマディスプレイパネル（ＰＤＰ）等の表示装置の表示面に好適に用いられ、外光が当たる環境下においても、外光に起因する反射光の光量を減少させることで、画像のコントラストを改善することが可能な光学フィルタに関するものである。
【背景技術】
【０００２】
近年、大画面かつ薄型の受像機として、プラズマディスプレイパネル（ＰＤＰ）が開発され、実用化されている。
このＰＤＰは、表示電極、バス電極、誘電体層および保護層を有する前面ガラス基板と、データ電極、誘電体層、ストライプ状の隔壁及び蛍光体層を有する背面ガラス基板とを、表示電極及びバス電極とデータ電極とが互いに直交するように貼り合せて表示セルを形成し、この表示セル内にＨｅ−Ｘｅ混合ガス等の放電ガスを封入して構成されている。
このＰＤＰでは、データ電極と表示電極との間に電圧を印加することにより、表示セル内にてキセノンを放電させ、プラズマ状態となったキセノンイオンが基底状態に戻る際にキセノンの共鳴線（１４７ｎｍ）に相当する紫外線を発生し、この紫外線が蛍光体を励起して、赤（Ｒ）、緑（Ｇ）、青（Ｂ）の各色光を発光させることにより、カラー表示を可能としている。
このＰＤＰは、薄型ディスプレイ装置として、設置スペースが狭く、壁掛けテレビジョン等の表示装置等として有用であると考えられている。
【０００３】
このＰＤＰでは、これら可視光の発光の過程で、これらの可視光に加え、近赤外線及び電磁波も発生する。そこで、これらの近赤外線及び電磁波をカットするために、表示部となる前面ガラス基板の表面に、反射防止機能、近赤外線遮蔽機能、電磁波遮蔽機能が付与された光学フィルタを設けるのが一般的である。
光学フィルタとしては、一般に、何層かのフィルムを積層したフィルム積層体をガラス基板に貼り合わせたタイプの光学フィルタが用いられている。
しかしながら、この光学フィルタでは、ＰＤＰの表示面との間が離れているために、ＰＤＰの画素における光の照射範囲が拡大することになる。この光が光学フィルタに斜めに入射すると、内部の電磁波遮蔽層等で反射されて出力される。したがって、外光が当たる環境下で用いた場合、ＰＤＰの表示面からの直接出力光と外部からの広い範囲で反射された反射光が重なってしまい、画像がぼやけるという問題点があった。
そこで、画像のぼやけ防止を目的として、ＰＤＰの表示面に直接、貼着するフィルムタイプの光学フィルタが提案されている（例えば、特許文献１等参照）。
【０００４】
図２は、従来のフィルムタイプのＰＤＰ用光学フィルタの一例を示す断面図であり、図において、１はＰＤＰモジュールの表示面に貼着される光学フィルタであり、反射防止機能および近赤外線遮蔽機能を有する複合フィルム層２と、電磁波遮蔽機能を有する積層体層３とを接着することにより、全体として単一のフィルム状ラミネート体とされている。
複合フィルム層２は、フィルム状の透明基材４と、その上面に形成された反射防止層５と、反対側の下面に形成された近赤外線遮蔽層６と、この近赤外線遮蔽層６の下面に形成された接着剤層７とが接合されて一体化されている。
積層体層３は、金属メッシュからなる電磁波遮蔽材層８と、この電磁波遮蔽材層８の下面全面に形成された接着剤層９とが接着されて一体化され、この接着剤層９の下面側に剥離フィルム（剥離材）１０が着脱可能に貼着されている。
複合フィルム層２と積層体層３とは、接着剤層７により接着一体化されて光学フィルタ１を構成しているが、この際、電磁波遮蔽材層８に接地用電極（図示せず）が取り付けられる構成になっている。
【０００５】
この光学フィルタ１では、剥離フィルム１０を剥離後、接着剤層９をＰＤＰモジュールの表示面に直接、貼着したことにより、この表示面に反射防止機能、近赤外線遮蔽機能、電磁波遮蔽機能等、複数の機能を付与した構成であるから、従来のように光学フィルタ１とＰＤＰモジュールとの間に空間が無くなり、したがって、ＰＤＰモジュールの表示面での反射を防止するとともに、ＰＤＰモジュールからの光の拡散を防止し、画像のぼやけ防止を図っている。
【特許文献１】特開２００７−５７８８９号公報
【発明の開示】
【発明が解決しようとする課題】
【０００６】
しかしながら、上述した従来のフィルムタイプの光学フィルタにおいては、電磁波遮蔽材層が、樹脂フィルムの表面に金属の微細なパターンを形成したもの、例えば、銅箔を樹脂フィルムの表面に貼着した後、微細な線状にエッチングしたもので構成されているので、外光が当たる環境下で用いた場合に、この外光が金属の微細なパターンの表面で反射し、表示面における反射防止が十分ではないという問題点があった。この表面における反射現象は、画像のぼやけを助長し、表示面におけるコントラストを悪化させることとなる。
【０００７】
また、ＰＤＰモジュールは、内部の蛍光体が白色に近いものが多いために、表示面に外光が当たった場合、外光は表示面で反射されるだけでなく、蛍光体部分からも強く反射されることとなる。上述した従来のフィルムタイプの光学フィルタをＰＤＰモジュールの表示面に直接、貼着した場合、表示面からの外光反射は防ぐことができるが、蛍光体部分からの反射は防ぐことができない。したがって、この蛍光体部分から反射する外光によっても画像のぼやけが助長され、表示面におけるコントラストが悪化することとなる。
【０００８】
本発明は、上記の課題を解決するためになされたものであって、外光が当たる環境下においても、プラズマディスプレイパネル（ＰＤＰ）等の表示装置の表示面における外光に起因する反射を減少させることができ、したがって、画像のぼやけを防止することができ、その結果、画像のコントラストを改善することができる光学フィルタを提供することを目的とする。
【課題を解決するための手段】
【０００９】
本発明者等は、上記課題を解決するために鋭意研究を行った結果、光学フィルタの本体部分を、柔軟性を有する電磁波遮蔽積層体層の電磁波遮蔽層に、柔軟性を有する外光遮蔽層を接合一体化した構成とし、この電磁波遮蔽積層体層の外光遮蔽層と反対側の表面に、表示装置の表示面に直接貼着するための透明接着層を形成すれば、この光学フィルタを表示装置の表示面に直接、貼着することができ、この表示装置の表示面における外光に起因する反射光の光量を減少させることができ、画像のぼやけを防止することができ、その結果、画像のコントラストの悪化を防止することができることを見出し、本発明を完成させるに至った。
【００１０】
すなわち、本発明の光学フィルタは、表示装置の表示面に直接貼着される光学フィルタであって、柔軟性を有する透明基材の一方の主面に電磁波遮蔽層が形成されるとともに、他方の主面に前記表示面に貼着するための透明接着層が形成された電磁波遮蔽積層体層と、前記電磁波遮蔽層の前記表示面側と反対側の表面に接合され柔軟性を有する外光遮蔽層と、を備えてなることを特徴とする。
【００１１】
この光学フィルタでは、透明接着層を表示装置の表示面に直接、貼着することにより、この光学フィルタは表示装置の表示面との間に空間が無い状態で密着・固定される。
また、電磁波遮蔽積層体層の表示面に貼着される側とは反対側の主面に外光遮蔽層を設けたことにより、外光が当たる環境下で用いた場合においても、入射する外光を外光遮蔽層が遮蔽し、電磁波遮蔽層やＰＤＰモジュールに入射するのを防止する。これにより、外光の入射に起因する電磁波遮蔽層の表面やＰＤＰモジュールの蛍光体部分からの反射が防止される。
よって、この外光に起因する反射および画像のぼやけを防止することが可能となり、表示面のコントラストを改善することが可能となる。
【００１２】
本発明の光学フィルタは、前記外光遮蔽層の表面に、反射防止層、近赤外線遮蔽層のいずれか一方または双方を積層してなることを特徴とする。
この光学フィルタでは、外光遮蔽層の表面に反射防止層、近赤外線遮蔽層のいずれか一方または双方を積層したことにより、外光遮蔽機能の他に、反射防止機能および近赤外線遮蔽機能を付与することが可能となる。
【００１３】
本発明の光学フィルタでは、前記近赤外線遮蔽層は、柔軟性を有する透明基材の一方の主面に、接着層中に近赤外線吸収色素を分散させてなる近赤外線遮蔽膜を形成してなり、前記外光遮蔽層の前記表示面側と反対側の表面に前記近赤外線遮蔽膜を接着し、さらに、該近赤外線遮蔽膜の前記表示面側と反対側の表面に前記反射防止層を接着してなることを特徴とする。
前記電磁波遮蔽層を網状の金属層としたことを特徴とする。
可視光線透過率は２０％以上であることを特徴とする。
前記透明接着層には、剥離材が着脱可能に貼着されていることを特徴とする。
前記表示装置は、プラズマディスプレイパネルであることを特徴とする。
【発明の効果】
【００１４】
本発明の光学フィルタによれば、柔軟性を有する透明基材の一方の主面に電磁波遮蔽層が形成されるとともに、他方の主面に前記表示面に貼着するための透明接着層が形成された電磁波遮蔽積層体層と、前記電磁波遮蔽層の前記表示面側と反対側の表面に接合され柔軟性を有する外光遮蔽層と、を備えたので、外光が当たる環境下で用いた場合においても、この外光に起因する反射および画像のぼやけを防止することができ、したがって、表示面のコントラストを改善することができる。
以上により、表示部における視認性及び信頼性をさらに向上させることができる。
【発明を実施するための最良の形態】
【００１５】
本発明の光学フィルタの最良の形態について説明する。
なお、この形態は、発明の趣旨をより良く理解させるために具体的に説明するものであり、特に指定のない限り、本発明を限定するものではない。
【００１６】
図１は、本発明の一実施形態の光学フィルタを示す断面図であり、この図においては、構造を分かり易くするために、個々の層の厚み等を実際のものと異ならせている。
図において、１１は光学フィルタであり、電磁波遮蔽積層体層１２と、外光遮蔽層１３と、近赤外線遮蔽層１４と、反射防止層１５とが接合され一体化され、さらに電磁波遮蔽積層体層１２には柔軟性を有する剥離フィルム（剥離材）１６が着脱可能に貼着され、全体が柔軟性を有するフィルム状とされている。
【００１７】
電磁波遮蔽積層体層１２は、柔軟性を有する透明基材２１の表面（一方の主面）に電磁波遮蔽層２２が形成され、裏面（他方の主面）にＰＤＰモジュール１７の表示面１７ａに貼着するための透明接着層２３が形成されている。
透明基材２１としては、柔軟性を有しかつ可視光線に対して透明性を有するものであればよく、特に限定はしないが、例えば、有機高分子材料である透明樹脂が好ましい。
【００１８】
この透明樹脂としては、ポリエステル（ＰＥ）、トリアセチルセルロース、ポリカーボネート（ＰＣ）、ポリエーテルサルフォン（ＰＥＳ）、ポリアクレリート（ＰＡＣ）、ノルボンネン、非晶質ポリオレフィン等の樹脂が好適に用いられる。なかでも、ポリエステルが好ましく、特にポリエチレンテレフタレート（ＰＥＴ）は、耐久性、耐溶剤性、生産性等の点において優れているので好ましい。
【００１９】
この透明基材２１の形状は、柔軟性を有するものであれば特に制限はなく、フィルム状、シート状等、用途に応じて適宜選択することができる。また、その厚みについても、特に限定することはないが、取り扱い等を考慮すると、２０μｍ〜１ｍｍ程度のフィルム状のものが好ましい。
また、色調や透過率を調整するために、透明樹脂に着色剤や染料を混入したものを用いてもよい。
【００２０】
電磁波遮蔽層２２は、電磁波に対する遮蔽性及び可視光線に対する透明性を有するものであればよく、特に限定されないが、取り扱い等の点から、金属メッシュ等の網状の金属層が好ましい。
金属メッシュとしては、例えば、（１）パラジウム等の触媒を含有するペーストを所定のメッシュパターンに印刷した後、このメッシュパターンに銅等の金属をめっきしたもの、（２）蒸着法、スパッタ法等により銀、アルミニウム等の導電性物質を網目状のパターンにて形成したもの、（３）銅等の金属めっき層にエッチングを施してメッシュパターンとしたもの、（４）銅等の金属箔にエッチングを施してメッシュパターンとしたもの、（５）繊維の表面に金属をめっきしたメッシュを透明基材２１上に貼り付けたもの等を用いることができる。
【００２１】
この電磁波遮蔽層２２の厚みは、１μｍ以上かつ１０μｍ以下が好ましい。その理由は、電磁波遮蔽層２２として金属メッシュを用いる場合、この金属メッシュの厚みが１０μｍより厚いと、視野角が狭くなり視認性が低下するからであり、さらに、表面が黒色化された場合においても、斜め方向から視認した場合、金属メッシュの深さ方向が黒色化され難く、この金属メッシュを構成する金属の色が強く現れてしまい、表示面の色調に不具合が生じるからである。
【００２２】
この金属メッシュの替わりに透明導電膜を用いることもできる。
この透明導電膜としては、例えば、スズ添加酸化インジウム（ＩＴＯ）、アンチモン添加酸化スズ（ＡＴＯ）、亜鉛添加酸化インジウム（ＩＺＯ）、アルミニウム添加酸化亜鉛（ＡＺＯ）、ガリウム添加酸化亜鉛（ＧＺＯ）等の透明導電膜が好適である。
【００２３】
この透明導電膜を電磁波遮蔽層２２に用いた場合には、金属メッシュのような反射は大きく減少する。すなわち、電磁波遮蔽層については、入射する外光を遮蔽する必要が無く、遮蔽する必要があるのはＰＤＰモジュールのみとなる。
したがって、電磁波遮蔽積層体層１２のＰＤＰモジュール１７の表示面１７ａに貼着される側とは反対側（視認側）に外光遮蔽層１３を設ける必要性は無く、電磁波遮蔽積層体層１２のＰＤＰモジュール１７の表示面１７ａに貼着される側に外光遮蔽層１３を設けるようにしてもかまわない。
【００２４】
透明接着層２３は、可視光線に対して透明性を有する樹脂系接着剤が好適に用いられる。この樹脂系接着剤としては、シリコン系樹脂接着剤、アクリル系樹脂接着剤等が挙げられる。
この透明接着層２３の接着強度は、接着層の形成初期では、１〜１０Ｎ／２５ｍｍが好ましく、より好ましくは４〜８Ｎ／２５ｍｍである。
この透明接着層２３の接着強度は、形成初期から時間を経る毎に徐々に上昇して平衡に達し、その後、徐々に下降する特性を有している。したがって、平衡に達した時点における粘着強度は、１０〜１５Ｎ／２５ｍｍであることがさらに好ましい。
【００２５】
この接着強度が１〜１０Ｎ／２５ｍｍの範囲内にあれば、この光学フィルタ１１をＰＤＰモジュール１７の表示面１７ａに貼着した際に、実用上十分に接着状態を保持することができ、しかも、光学フィルタ１１を表示面１７ａから剥離することが必要になった際に、実用上格段の困難なしに剥離することができる。この場合、剥離した光学フィルタ１１を再利用することができ、しかも高価な表示装置本体を継続して使用することができる。
【００２６】
外光遮蔽層１３は、外部から入射する光が外光遮蔽層１３の内側、すなわち電磁波遮蔽層２２やＰＤＰモジュール１７に入射するのを防止するためのもので、例えば、所定の間隔をおいて互いに平行に配置され光吸収効果を有する断面楔型の楔部３１と、これらの楔部３１を埋める低屈折率の透明部３２とにより構成され、外部から入射する光を楔部３１と透明部３２との境界面で楔部３１に屈折させて吸収させることにより遮蔽することができる。これにより、ＰＤＰモジュール１７の表示面１７ａから光学フィルタを通して表示される画像におけるコントラストを高め、ゴーストを抑制することが可能になっている。
【００２７】
なお、この外光遮蔽層１３の構造は、外部から入射する光が外光遮蔽層１３の内側に入射するのを防止することができる構造であればよく、上記の構造に限定されない。
この外光遮蔽層１３は、上述した透明接着層２３と同様の材質からなる透明接着層３３により、電磁波遮蔽層２２を覆うとともに電磁波遮蔽積層体層１２に貼着され、接合一体化されている。
【００２８】
近赤外線遮蔽層１４は、上述した透明基材２１と同様の材質からなる柔軟性を有する透明基材４１の表面（一方の主面）に近赤外線遮蔽膜４２が形成されている。
この近赤外線遮蔽層１４は、上述した透明接着層２３と同様の材質からなる透明接着層４３により外光遮蔽層１３に貼着され、接合一体化されている。
【００２９】
近赤外線遮蔽膜４２は、８００〜１１００ｎｍの波長帯域の近赤外線に対して遮蔽性を有するものであればよく、例えば、アクリル系樹脂、メタクリル系樹脂等からなる樹脂マトリックス中に近赤外線吸収色素を分散させたものであることが好ましい。この樹脂マトリックスとしては、接着層を選択することも可能である。例えば、透明基材の表面に反射防止膜を形成し、裏面に近赤外線遮蔽機能を有する接着層を形成すれば、層数の大幅な低減を図ることができる。
【００３０】
近赤外線吸収色素としては、８００〜１１００ｎｍの波長帯域の近赤外線に対して遮蔽性を有する色素であれば特に限定されないが、例えば、ジイモニウム系化合物、アミニウム系化合物、フタロシアニン系化合物、有機金属錯体系化合物、シアニン系化合物、アゾ系化合物、ポリメチン系化合物、キノン系化合物、ジフェニルメタン系化合物、トリフェニルメタン系化合物、メルカプトナフトール系化合物等を用いることができ、またこれらは、単一種で用いられてもよく、或は、２種以上を適宜組み合わせて用いてもよい。
特に、ジイモニウム系化合物は、波長８５０〜１１００ｎｍの近赤外線領域にモル吸光係数が１０万程度の強い吸収性を有することから近赤外線遮蔽性に優れている。
【００３１】
この近赤外線遮蔽膜４２が、実用上十分な近赤外線遮蔽性を発現するためには、波長９００〜１０００ｎｍの波長帯域の近赤外線の透過率が２０％以下であることが好ましい。
【００３２】
反射防止層１５は、上述した透明基材２１と同様の材質からなる柔軟性を有する透明基材４４の表面（一方の主面）に反射防止膜４５が形成されている。
この反射防止層１５は、上述した透明接着層２３と同様の材質からなる透明接着層４６により近赤外線遮蔽層１４に貼着され、接合一体化されている。
この反射防止膜４５は、外部から入射する光の反射を防止することができればよく、単層構造であっても、積層構造であってもよい。
【００３３】
積層構造の反射防止膜としては、例えば、屈折率の異なる複数の層を組み合わせたものが好ましい。屈折率の組み合わせとしては、低屈折率層及び高屈折率層の２種類の組み合わせの他、低屈折率層、中屈折率層及び高屈折率層の３種類の組み合わせ等でもよい。
また、傷が付くのを防止するためのハードコート層や、静電気による塵埃の付着等を防止するための導電層等を、必要に応じて組み合わせて使用することができる。
【００３４】
なお、反射防止膜の種類によっては、反射防止機能の発現により、外部から照射する光の透過量が増大するものがある。この場合、反射防止膜が無い場合に比べ、外部から照射する光のより多くが電磁波遮蔽層２２やＰＤＰモジュール１７に入射することとなり、画像におけるコントラストの低下や、ゴーストの発生を助長することとなる。このような場合においては、外光遮蔽層１３を設けることがより重要となる。
【００３５】
この光学フィルタ１１においては、可視光線透過率が２０％以上であることが好ましく、より好ましくは３０％以上である。
その理由は、可視光透過率が２０％よりも低い場合、ＰＤＰモジュール１７から発せられる光が十分透過されず、ディスプレイ装置としての輝度が不足するからである。
一方、透過率を高めた場合、ＰＤＰモジュール１７内の蛍光体が白色に近いものが多いために、特に暗黒色の表示部分が白っぽくなり、画面のコントラストが低下する。そこで、ＰＤＰ用光学フィルタにおいては、透過率を低く設定し、不足する輝度をＰＤＰモジュール１７における蛍光体の発光強度を増すことにより、コントラストを得る方法を用いている。
【００３６】
また、特に、５９０ｎｍの波長の可視光線の透過率は、４５０ｎｍ、５２５ｎｍ、６２０ｎｍの各波長における可視光線の透過率よりも１０％以上低いことが好ましい。これにより、この光学フィルタ１１を用いた場合、ＰＤＰモジュール１７の表示面１７ａのコントラスト性が向上し、色調補正機能が高くなる。
このように、５９０ｎｍの波長の可視光線の透過率を、４５０ｎｍ、５２５ｎｍ、６２０ｎｍの各波長における可視光線の透過率よりも１０％以上低くするためには、近赤外線遮蔽膜４２中に、キナクリドン顔料、アゾメチン系化合物、シアニン系化合物、及びポルフイリン化合物等の選択吸収性色材を含有させることが好ましい。
【００３７】
この光学フィルタ１１は、剥離フィルム１６を剥離してＰＤＰモジュール１７の表示面１７ａに貼着することにより、ＰＤＰモジュール１７と一体化することができる。
この光学フィルタ１１では、剥離フィルム１６を電磁波遮蔽積層体層１２から剥離し、露わになった透明接着層２３をＰＤＰモジュール１７の表示面１７ａに貼着することにより、この光学フィルタ１１をＰＤＰモジュール１７の表示面１７ａに貼着し、接合一体化することが可能である。
【００３８】
また、この光学フィルタ１１はＰＤＰモジュール１７の表示面１７ａに透明接着層２３の比較的弱い接着力で接着一体化されているので、それ程大きくない力でもって光学フィルタ１１をＰＤＰモジュール１７の表示面１７ａから剥離することが可能である。そこで、この光学フィルタ１１を他の種類の光学フィルタと交換したい場合や、この光学フィルタ１１が長期使用により劣化した様な場合には、この光学フィルタ１１をＰＤＰモジュール１７の表示面１７ａから剥離した後、他の光学フィルタを表示面１６ａに貼着すればよい。
【００３９】
この光学フィルタ１１では、ＰＤＰモジュール１７の表示面１７ａに直接、貼着することにより、ＰＤＰモジュール１７の表示面１７ａとの間に空間が無い状態で密着され、接合一体化される。
また、電磁波遮蔽積層体層１２の表面に外光遮蔽層１３を設けたことにより、外光が当たる環境下で用いた場合においても、入射する外光を外光遮蔽層１３が効果的に遮蔽する。これにより、外光が電磁波遮蔽積層体層１２に入射するのが効果的に防止され、外光の入射に起因する電磁波遮蔽層２２の表面での反射が防止される。
【００４０】
さらに、外光遮蔽層１３により、入射した外光を効果的に遮蔽することができるので、外光がＰＤＰモジュール１７に入射するのを効果的に防止し、外光の入射に起因するＰＤＰモジュール１７の蛍光体部分からの反射を防止する。
以上により、この光学フィルタ１１をＰＤＰモジュール１７の表示面１７ａに直接、貼着することで、この外光に起因する反射および画像のぼやけを防止することが可能となり、表示面１７ａから光学フィルタを通して表示される画像のコントラストを改善することが可能となる。
【００４１】
以上説明したように、本実施形態の光学フィルタ１１によれば、電磁波遮蔽積層体層１２と、外光遮蔽層１３と、近赤外線遮蔽層１４と、反射防止層１５とを接合一体化したので、外光が当たる環境下で用いた場合においても、この外光を外光遮蔽層１３により遮蔽することにより、ＰＤＰモジュール１７に入射することを防止することができ、この外光に起因する反射及び画像のぼやけを防止することができる。
【００４２】
また、この外光遮蔽層１３の表面、すなわちＰＤＰモジュール１７の表示面１７ａに対向する面に電磁波遮蔽積層体層１２を設けたので、外光は外光遮蔽層１３により遮蔽されて電磁波遮蔽積層体層１２に入射する虞が無くなり、電磁波遮蔽積層体層１２の表面における反射を防止することができ、したがって、画像のぼやけを防止することができ、表示面１７ａから光学フィルタを通して表示される画像におけるコントラストを向上させることができる。
【００４３】
また、外光は外光遮蔽層１３により遮蔽されてＰＤＰモジュール１７に入射する虞が無くなり、ＰＤＰモジュール１７の蛍光体部分における反射を防止させることができる。したがって、この外光に起因する画像のぼやけを防止することができ、表示面１７ａから光学フィルタを通して表示される画像におけるコントラストを向上させることができる。
【００４４】
また、電磁波遮蔽積層体層１２に貼着された剥離フィルム１６を剥離することにより、光学フィルタ１１を直接、ＰＤＰモジュール１７の表示面１７ａに貼着することができるので、ＰＤＰモジュール１７の一画素当たりの出力光の照射範囲が狭くなり、この出力光による外光遮蔽層１３の反射出力光も減少することとなる。さらに、光学フィルタ１１の裏面及びＰＤＰモジュール１７の表示面１７ａにおける反射を防止することができる。
したがって、ＰＤＰモジュール１７の表示面１７ａでの反射や画像のぼやけを防止することができる。
以上により、ＰＤＰモジュール１７の表示面１７ａにおける視認性及び信頼性をさらに向上させることができる。
【産業上の利用可能性】
【００４５】
本発明の光学フィルタは、柔軟性を有する透明基材の一方の主面に電磁波遮蔽層が形成されるとともに、他方の主面に前記表示面に貼着するための透明接着層が形成された電磁波遮蔽積層体層と、この電磁波遮蔽層に一方の主面が接合され柔軟性を有する外光遮蔽層とを備えたことにより、外光が当たる環境下で用いた場合においても、外光に起因する反射および画像のぼやけを防止することを可能としたものであるから、ＰＤＰへの適用はもちろんのこと、エレクトロルミネッセンス（ＥＬ）ディスプレイ等の表示装置に対しても適用することが可能であり、その効果は非常に大きなものである。
【図面の簡単な説明】
【００４６】
【図１】本発明の一実施形態の光学フィルタを示す断面図である。
【図２】従来の光学フィルタの一例を示す断面図である。
【符号の説明】
【００４７】
１１  光学フィルタ
１２  電磁波遮蔽積層体層
１３  外光遮蔽層
１４  近赤外線遮蔽層
１５  反射防止層
１６  剥離フィルム
１７  ＰＤＰモジュール
１７ａ  表示面
２１  透明基材
２２  電磁波遮蔽層
２３  透明接着層
３１  楔部
３２  透明部
３３  透明接着層
４１  透明基材
４２  近赤外線遮蔽膜
４３  透明接着層
４４  透明基材
４５  反射防止膜
４６  透明接着層
【図１】
0005109708.tif 000002
【図２】
0005109708.tif 000003